【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
処理ユニットを含むコンピュータ支援医療報告提供のための装置であって、
前記処理ユニットは、Ｃアームイメージングシステムから得られた患者の関心領域を表すフレームシーケンスを受け取り、前記Ｃアームイメージングシステムからの入力及び前記Ｃアームイメージングシステムの方位情報から導出されるコンテキスト情報を生成し、
前記コンテキスト情報は、（ｉ）前記Ｃアームイメージングシステムの方位角及び仰角から得られるか、又は（ｉｉ）Ｃアームからの画像の入力シーケンスの画像内容に適用される画像処理アルゴリズムから得られ、
前記フレームシーケンスのフレームは、前記コンテキスト情報にインデックス付けされ、前記フレームシーケンスの少なくとも１つの代表的サブセットのフレームを生成し、
前記少なくとも１つの代表的サブセットのフレームは、前記フレームシーケンスのフレームの前記コンテキスト情報を、方位条件を含む少なくとも１つのフレームクラスタリング条件と比較することによって前記フレームシーケンスから選択され、前記少なくとも１つの代表的サブセットのために定義された選択パラメータを使用して、前記少なくとも１つの代表的サブセットのフレームの少なくとも１つのさらなるサブセットを選択し、前記さらなるサブセットのフレームを含むマルチメディア又はドキュメンタリ報告を出力する、
装置。
【請求項２】
前記処理ユニットは、さらに、
医療処置の段階にリンクされた事象に関する情報を含む事象信号を受け取り、前記事象信号を使用して処置状態指標を生成し、
前記コンテキスト情報は前記処置状態指標をさらに含み、前記少なくとも１つの代表的サブセットのフレームが、前記処置状態指標と前記少なくとも１つのフレームクラスタリング条件とに基づいて前記フレームシーケンスから選択される、
請求項１に記載の装置。
【請求項３】
前記事象信号はバルーン膨張状態信号である、
請求項２に記載の装置。
【請求項４】
前記処理ユニットは、さらに、
患者モニタデバイスの出力信号から測定デバイス活動パラメータを受け取り、前記コンテキスト情報は前記測定デバイス活動パラメータをさらに含み、前記少なくとも１つの代表的サブセットのフレームが前記測定デバイス活動パラメータの存在に基づいて選択され、前記マルチメディア又は前記ドキュメンタリ報告は、前記さらなるサブセットのフレームに近接して表示される前記患者モニタデバイスの前記出力信号からの測定値を含む、
請求項１から３のいずれか一項に記載の装置。
【請求項５】
前記処理ユニットは、さらに、
前記フレームに表された特定の動脈系を識別することによって、前記フレームシーケンスのフレームを分類し、これによって、前記フレームシーケンスのフレームに動脈系分類を提供し、前記コンテキスト情報は前記動脈系分類をさらに含み、前記フレームクラスタリング条件は動脈系分類パラメータを含み、前記動脈系分類パラメータはオプションでリッジフィルタに基づく、
請求項１から４のいずれか一項に記載の装置。
【請求項６】
前記処理ユニットは、さらに、
前記少なくとも１つの代表的サブセットのフレームのうちの複数のフレームに対する造影剤品質メトリックを計算し、前記造影剤品質メトリックは、フレームにおいてどのくらいの造影剤が見えるかの尺度であり、前記選択パラメータは、管腔中の造影剤の分布の品質を規定する注入品質パラメータであり、前記少なくとも１つのさらなるサブセットのフレームは、前記造影剤品質メトリックと前記注入品質パラメータとの比較に基づいて選択される、
請求項１から５のいずれか一項に記載の装置。
【請求項７】
前記処理ユニットは、さらに、
前記少なくとも１つの代表的サブセットのフレームのうちの複数のフレームに対するバルーン膨張進行メトリックを計算し、前記選択パラメータはバルーン膨張範囲メトリックであり、前記少なくとも１つのさらなるサブセットのフレームは、前記バルーン膨張進行メトリックと前記バルーン膨張範囲メトリックとの比較に基づいて選択される、
請求項１から６のいずれか一項に記載の装置。
【請求項８】
Ｃアームイメージングシステムを使用したコンピュータ支援医療報告提供のための方法であって、
ａ）患者の関心領域を表す、前記Ｃアームイメージングシステムから得られたフレームシーケンスを受け取るステップと、
ｂ）（ｉ）前記Ｃアームイメージングシステムの方位角及び仰角から得られるか、又は（ｉｉ）Ｃアームからの画像の入力シーケンスの画像内容に適用される画像処理アルゴリズムから得られる、方位情報を含むコンテキスト情報を生成するステップであって、
前記フレームシーケンスのフレームが前記コンテキスト情報にインデックス付けされる、ステップと、
ｃ）前記フレームシーケンスの少なくとも１つの代表的サブセットのフレームを生成するステップであって、
前記少なくとも１つの代表的サブセットのフレームが、前記フレームシーケンスのフレームの前記コンテキスト情報を、方位条件を含む少なくとも１つのフレームクラスタリング条件と比較することによって前記フレームシーケンスから選択される、ステップと、
ｄ）前記少なくとも１つの代表的サブセットのために定義された選択パラメータを使用して、前記少なくとも１つの代表的サブセットのフレームの少なくとも１つのさらなるサブセットを選択するステップと、
ｅ）前記さらなるサブセットのフレームを含むマルチメディア又はドキュメンタリ報告を出力するステップと、
を有する、方法。
【請求項９】
ａ２）医療処置の段階にリンクされた事象に関する情報を含む事象信号を受け取るステップと、
ｂ１）前記事象信号を使用して処置状態指標を生成するステップとをさらに有し、
ステップｃ）において、前記コンテキスト情報が前記処置状態指標をさらに含み、前記少なくとも１つの代表的サブセットのフレームが、前記処置状態指標と前記少なくとも１つのフレームクラスタリング条件とに基づいて前記フレームシーケンスから選択される、
請求項８に記載の方法。
【請求項１０】
ステップｃ）において、
ｃ１）前記少なくとも１つの代表的サブセットのフレームのうちの複数のフレームに対する造影剤品質メトリックを計算するステップであって、前記造影剤品質メトリックは、フレームにおいてどのくらいの造影剤が見えるかの尺度である、計算するステップをさらに有し、
ステップｄ）において、前記選択パラメータは、管腔中の造影剤の分布の品質を規定する注入品質パラメータであり、前記少なくとも１つのさらなるサブセットのフレームが、前記造影剤品質メトリックと前記注入品質パラメータとの比較に基づいて選択される、
請求項８又は９に記載の方法。
【請求項１１】
医療報告のためのシステムであって、
Ｃアームイメージングシステムと、
請求項１から７のいずれか一項に記載の装置と、
表示装置と
を含み、
前記Ｃアームイメージングシステムはフレームシーケンスを生成し、
前記装置は、前記Ｃアームイメージングシステムと前記表示装置とに通信可能に結合され、動作時に、前記装置は、前記Ｃアームイメージングシステムから前記フレームシーケンスと、方位角及び仰角の信号とを受け取り、前記フレームシーケンスのサブセットのフレームを含むマルチメディア又はドキュメンタリ報告を出力する、
システム。
【請求項１２】
医療報告のためのコンピュータプログラムが処理ユニットによって実行されたとき、請求項８から１０のいずれか一項に記載の方法のステップを実行する、医療報告のためのコンピュータプログラム。
【請求項１３】
請求項１２に記載のコンピュータプログラムを格納した、コンピュータ可読媒体。